(57)【特許請求の範囲】
【請求項１】
ガスメータのメータケースに形成した通気穴を、通気性および防湿性のフィルタで封鎖するガスメータの通気構造であって、
前記フィルタを前記メータケースに貼り付けるためのフィルタ貼り付け用両面粘着シールを有し、
前記フィルタは、大気に晒される通気性および防湿性を備えた外側フィルタと、この外側フィルタの裏面側に配置される通気性および防湿性を備えた内側フィルタと、前記外側フィルタおよび前記内側フィルタの間に配置されている防虫網とを備えており、
前記フィルタ貼り付け用両面粘着シールによって、前記外側フィルタ、前記防虫網および前記内側フィルタのうちの少なくとも一つが前記メータケースに貼り付けられていることを特徴とするガスメータの通気構造。
【請求項２】
請求項１に記載のガスメータの通気構造において、
前記内側フィルタおよび前記防虫網は相互に貼り合せた状態で前記メータケースの内側に配置され、
前記外側フィルタは前記メータケースの外側に配置されており、
前記フィルタ貼り付け用両面粘着シールは、前記防虫網を前記メータケースの内側表面に貼り付けている内側両面粘着シールと、前記外側フィルタを前記メータケースの外側表面に貼り付けている外側両面粘着シールとを備えていることを特徴とするガスメータの通気構造。
【請求項３】
請求項２に記載のガスメータの通気構造において、
防虫網貼り付け用両面粘着シールを備えており、
当該防虫網貼り付け用両面粘着シールによって前記内側フィルタおよび前記防虫網を相互に貼り合わせてあることを特徴とするガスメータの通気構造。
【請求項４】
請求項２に記載のガスメータの通気構造において、
前記内側フィルタおよび前記防虫網を熱溶着によって相互に貼り合わせてあることを特徴とするガスメータの通気構造。
【請求項５】
請求項１に記載のガスメータの通気構造において、
前記内側フィルタは前記メータケースの内側に配置され、
前記外側フィルタおよび前記防虫網は相互に貼り合せた状態で前記メータケースの外側に配置されており、
前記フィルタ貼り付け用両面粘着シールは、前記内側フィルタを前記メータケースの内側表面に貼り付けている内側両面粘着シールと、前記防虫網を前記メータケースの外側表面に貼り付けている外側両面粘着シールとを備えていることを特徴とするガスメータの通気構造。
【請求項６】
請求項５に記載のガスメータの通気構造において、
防虫網貼り付け用両面粘着シールを備えており、
当該防虫網貼り付け用両面粘着シールによって前記外側フィルタおよび前記防虫網を相互に貼り合わせてあることを特徴とするガスメータの通気構造。
【請求項７】
請求項５に記載のガスメータの通気構造において、
前記外側フィルタおよび前記防虫網を熱溶着によって相互に貼り合わせてあることを特徴とするガスメータの通気構造。
【請求項８】
請求項１に記載のガスメータの通気構造において、
前記外側フィルタ、前記防虫網および前記内側フィルタは相互に貼り合せた状態で前記メータケースの外側に配置されており、
前記フィルタ貼り付け用両面粘着シールは、前記内側フィルタを前記メータケースの外側表面に貼り付けている外側両面粘着シールであることを特徴とするガスメータの通気構造。
【請求項９】
請求項１に記載のガスメータの通気構造において、
前記外側フィルタ、前記防虫網および前記内側フィルタは相互に貼り合せた状態で前記メータケースの内側に配置されており、
前記フィルタ貼り付け用両面粘着シールは、前記外側フィルタを前記メータケースの内側表面に貼り付けている内側両面粘着シールであることを特徴とするガスメータの通気構造。
【請求項１０】
請求項８または９に記載のガスメータの通気構造において、
２枚の防虫網貼り付け用両面粘着シールを備えており、
前記外側フィルタと前記防虫網の間、および、前記内側フィルタと前記防虫網の間が、それぞれ前記防虫網貼り付け用両面粘着シールによって貼り合わせてあることを特徴とするガスメータの通気構造。
【請求項１１】
請求項８または９に記載のガスメータの通気構造において、
前記外側フィルタと前記防虫網の間、および、前記内側フィルタと前記防虫網の間が、それぞれ、熱溶着によって貼り合わせてあることを特徴とするガスメータの通気構造。
【請求項１２】
請求項１ないし１１のうちのいずれかの項に記載のガスメータの通気構造において、
前記防虫網のメッシュサイズは３ｍｍ以下であることを特徴とするガスメータの通気構造。
【請求項１３】
請求項１ないし１２のうちのいずれかの項に記載のガスメータの通気構造において、
前記フィルタ貼り付け用両面粘着シールは、厚さ方向に弾性変形可能な独立発泡剤からなる基材と、この両面に積層した粘着剤とを備えていることを特徴とするガスメータの通気構造。
【請求項１４】
請求項１ないし１３のうちのいずれかの項に記載のガスメータの通気構造において、
前記通気穴は、ガスメータに内蔵されている圧力センサに大気圧を導くための通気穴であることを特徴とするガスメータの通気構造。
【請求項１５】
請求項２に記載のガスメータの通気構造に用いる貼り付け式フィルタ・セットであって、
ガスメータのメータケースの内側に貼り付ける貼り付け式内側フィルタと、
前記メータケースの外側に貼り付ける貼り付け式外側フィルタとを有し、
前記貼り付け式内側フィルタは、通気性および防湿性を備えた内側フィルタと、この内側フィルタに貼り付けた防虫網と、この防虫網に一方の粘着層が貼り付けられている内側両面粘着シールと、この内側両面粘着シールの他方の粘着層を覆っている剥離紙とを備えており、
前記貼り付け式外側フィルタは、通気性および防湿性を備えた外側フィルタと、この外側フィルタに一方の粘着層が貼り付けられている外側両面粘着シールと、この外側両面粘着シールの他方の粘着面を覆っている剥離紙とを備えていることを特徴とする貼り付け式フィルタ・セット。
【請求項１６】
請求項５に記載のガスメータの通気構造に用いる貼り付け式フィルタ・セットであって、
ガスメータのメータケースの外側に貼り付ける貼り付け式外側フィルタと、
前記メータケースの内側に貼り付ける貼り付け式内側フィルタとを有し、
前記貼り付け式外側フィルタは、通気性および防湿性を備えた外側フィルタと、この外側フィルタに貼り付けた防虫網と、この防虫網に一方の粘着層が貼り付けられている外側両面粘着シールと、この外側両面粘着シールの他方の粘着層を覆っている剥離紙とを備えており、
前記貼り付け式内側フィルタは、通気性および防湿性を備えた内側フィルタと、この内側フィルタに一方の粘着層が貼り付けられている内側両面粘着シールと、この内側両面粘着シールの他方の粘着面を覆っている剥離紙とを備えていることを特徴とする貼り付け式フィルタ・セット。
【請求項１７】
請求項８に記載のガスメータの通気構造に用いる貼り付け式フィルタであって、
外側フィルタと、
この外側フィルタの裏面に貼り合せた防虫網と、
この防虫網の裏面に貼り合せた内側フィルタと、
この内側フィルタの裏面に一方の粘着層が貼り付けられている外側両面粘着シールと、
この外側両面粘着シールの他方の粘着層を覆っている剥離紙とを有していることを特徴とする貼り付け式フィルタ。
【請求項１８】
請求項９に記載のガスメータの通気構造に用いる貼り付け式フィルタであって、
内側フィルタと、
この内側フィルタの表面に貼り合せた防虫網と、
この防虫網の表面に貼り合せた外側フィルタと、
この外側フィルタの表面に一方の粘着層が貼り付けられている内側両面粘着シールと、
この内側両面粘着シールの他方の粘着層を覆っている剥離紙とを有していることを特徴とする貼り付け式フィルタ。
【発明の詳細な説明】
【技術分野】
【０００１】
本発明は、ガスメータのメータケースに開けた通気穴から虫、塵、湿気が内部に侵入しないように、通気性および防湿性のフィルタを当該通気穴に取り付けた構成のガスメータの通気構造に関する。
【背景技術】
【０００２】
圧力センサ内蔵型ガスメータでは、メータケースに通気穴を開け、ここを介して大気圧を内蔵の圧力センサに導くようにしている。通気穴を通って外部から虫、異物、湿気が内部に侵入しないように、通気穴にはフィルタが取り付けられる。特許文献１には、通気穴にフィルタが取り付けられた通気構造を備えた圧力センサ内蔵型ガスメータが開示されており、通気性および防湿性を備えたシートが、メータケースにネジ止め固定されたプレートによって通気穴に取り付けられている。特許文献２に開示の圧力センサ内蔵型ガスメータでは、円錐筒型のソケットの内部に虫侵入上防止用の網を取り付け、このソケットを通気穴に差し込むことにより異物の侵入を防いでいる。特許文献３に開示のマイコンガスメータでは、ブッシュにリード線挿通部と微細通気孔が形成され、ブッシュを挿通穴に取り付けることにより、異物の侵入を防いでいる。
【特許文献１】特許第３６６２３４３号公報
【特許文献２】特開２００１−２１５１４２号公報
【特許文献２】特開平８−３２７４２５号公報
【発明の開示】
【発明が解決しようとする課題】
【０００３】
しかしながら、従来のガスメータの通気構造では次のような問題点がある。フィルタを固定するためにプレートおよびネジなどの固定金具を用いる構造では、フィルムを取り付けるための部品点数が多くなる。また、ネジの締め付けトルクの管理が必要になるので、フィルタの取り付け作業が煩雑になる。一方、フィルタを取り付けるためにソケットやブッシュを用いる構造では、このような専用部品を製造する必要があるのでコスト高を招いてしまう。また、フィルタの取り付け作業も簡単にできない。
【０００４】
本発明の課題は、このような点に鑑みて、虫、湿気などの侵入を防止するためのフィルタをワンタッチでメータケースに取り付け可能としたガスメータの通気構造を提案することにある。また、かかる通気構造に用いるのに適した貼り付け式フィルタを提案することにある。
【課題を解決するための手段】
【０００５】
上記の課題を解決するために、本発明は、ガスメータのメータケースに形成した通気穴を、通気性および防湿性のフィルタで封鎖するガスメータの通気構造であって、
前記フィルタを前記メータケースに貼り付けるためのフィルタ貼り付け用両面粘着シールを有し、
前記フィルタは、大気に晒される通気性および防湿性を備えた外側フィルタと、この外側フィルタの裏面側に配置される通気性および防湿性を備えた内側フィルタと、前記外側フィルタおよび前記内側フィルタの間に配置されている防虫網とを備えており、
前記フィルタ貼り付け用両面粘着シールによって、前記外側フィルタ、前記防虫網および前記内側フィルタのうちの少なくとも一つが前記メータケースに貼り付けられていることを特徴としている。
【０００６】
本発明では、フィルタをフィルタ貼り付け用両面粘着シールによってフィルタケースに貼り付けてある。フィルタ貼り付け用両面粘着シールの粘着剤として適切なものを採用すれば、メータケースの材質の如何に拘らず、簡単な操作によって確実にフィルタを貼り付けることができる。
【０００７】
また、外側フィルタおよび内側フィルタの間に防虫網を配置してあるので、外側フィルタが虫によって破られても、メータケース内への虫の侵入を阻止できる。また、内側フィルタも防湿性を備えているので、外側フィルタが破られた場合であってもメータケース内に湿気が侵入することを防止できる。
【０００８】
したがって、本発明の通気構造は、屋外に設置されるガスメータの通気構造として用いるのに適している。
【０００９】
ここで、内側フィルタおよび外側フィルタは、メータケースの内側および外側に配置することができる。
【００１０】
例えば、内側フィルタおよび防虫網を相互に貼り合せた状態でメータケースの内側に配置し、外側フィルタをメータケースの外側に配置することができる。この場合、フィルタ貼り付け用両面粘着シールとして、防虫網をメータケースの内側表面に貼り付けている内側両面粘着シールと、外側フィルタをメータケースの外側表面に貼り付けている外側両面粘着シールを用いればよい。また、防虫網貼り付け用両面粘着シールを用いて、内側フィルタおよび防虫網を相互に貼り合わせておくこともできる。内側フィルタおよび防虫網を熱溶着によって相互に貼り合わせておいてもよい。
【００１１】
また、内側フィルタをメータケースの内側に配置し、外側フィルタおよび防虫網を相互に貼り合せた状態でメータケースの外側に配置してもよい。この場合、フィルタ貼り付け用両面粘着シールとして、内側フィルタをメータケースの内側表面に貼り付けている内側両面粘着シールと、防虫網をメータケースの外側表面に貼り付けている外側両面粘着シールを用いることができる。また、防虫網貼り付け用両面粘着シールを用いて、外側フィルタおよび前記防虫網を相互に貼り合わせておくことができる。外側フィルタおよび防虫網を熱溶着によって相互に貼り合わせておいてもよい。
【００１２】
次に、外側フィルタ、防虫網および内側フィルタを相互に貼り合せた状態でメータケースの外側に配置しておくことができる。この場合、フィルタ貼り付け用両面粘着シールとして、内側フィルタをメータケースの外側表面に貼り付けている外側両面粘着シールを用いればよい。
【００１３】
逆に、外側フィルタ、防虫網および内側フィルタを相互に貼り合せた状態でメータケースの内側に配置しておくことができる。この場合、フィルタ貼り付け用両面粘着シールとして、外側フィルタをメータケースの内側表面に貼り付けている内側両面粘着シールを用いればよい。
【００１４】
ここで、両面粘着シールとして２枚の防虫網貼り合せ用両面粘着シールを用いて、外側フィルタと防虫網の間、および、内側フィルタと防虫網の間を貼り合わせることができる。この代わりに、外側フィルタと防虫網の間、および、内側フィルタと防虫網の間を、それぞれ、熱溶着によって貼り合わせてもよい。
【００１５】
次に、防虫網としては、そのメッシュサイズは３ｍｍ以下の細かなものを用いることが望ましい。
【００１６】
また、フィルタ貼り付け用両面粘着シールおよび防虫網貼り付け用両面粘着シールとしては、厚さ方向に弾性変形可能な独立発泡剤からなる基材と、この両面に積層した粘着剤とを備えているものを用いることが望ましい。フィルタ貼り付け作業のときに外側フィルタ、内側フィルタなどに加わる応力が基材の変形によって緩和あるいは緩衝され、フィルタに無理な力が作用して破損するなどの弊害を防止できる。
【００１７】
本発明の通気構造は、ガスメータに内蔵されている圧力センサに大気圧を導くための通気穴に適用することができる。
【００１８】
一方、本発明は上記構成のガスメータの通気構造に用いるメータケースの外側および内側に貼り付ける貼り付け式フィルタ・セットであって、
ガスメータのメータケースの内側に貼り付ける貼り付け式内側フィルタと、
メータケースの外側に貼り付ける貼り付け式外側フィルタとを有し、
貼り付け式内側フィルタは、通気性および防湿性を備えた内側フィルタと、この内側フィルタに貼り付けた防虫網と、この防虫網に一方の粘着層が貼り付けられている内側両面粘着シールと、この内側両面粘着シールの他方の粘着層を覆っている剥離紙とを備えており、
貼り付け式外側フィルタは、通気性および防湿性を備えた外側フィルタと、この外側フィルタに一方の粘着層が貼り付けられている外側両面粘着シールと、この外側両面粘着シールの他方の粘着面を覆っている剥離紙とを備えていることを特徴としている。
【００１９】
また、本発明による、メータケースの外側および内側に貼り付ける貼り付け式フィルタ・セットは、
ガスメータのメータケースの外側に貼り付ける貼り付け式外側フィルタと、
メータケースの内側に貼り付ける貼り付け式内側フィルタとを有し、
貼り付け式外側フィルタは、通気性および防湿性を備えた外側フィルタと、この外側フィルタに貼り付けた防虫網と、この防虫網に一方の粘着層が貼り付けられている外側両面粘着シールと、この外側両面粘着シールの他方の粘着層を覆っている剥離紙とを備えており、
貼り付け式内側フィルタは、通気性および防湿性を備えた内側フィルタと、この内側フィルタに一方の粘着層が貼り付けられている内側両面粘着シールと、この内側両面粘着シールの他方の粘着面を覆っている剥離紙とを備えていることを特徴としている。
【００２０】
さらに、本発明による、メータケースの内側に貼り付ける貼り付け式フィルタは、
外側フィルタと、
この外側フィルタの裏面に貼り合せた防虫網と、
この防虫網の裏面に貼り合せた内側フィルタと、
この内側フィルタの裏面に一方の粘着層が貼り付けられている外側両面粘着シールと、
この外側両面粘着シールの他方の粘着層を覆っている剥離紙とを有していることを特徴としている。
【００２１】
本発明による、メータケースの外側に貼り付ける貼り付け式フィルタは、
内側フィルタと、
この内側フィルタの表面に貼り合せた防虫網と、
この防虫網の表面に貼り合せた外側フィルタと、
この外側フィルタの表面に一方の粘着層が貼り付けられている内側両面粘着シールと、
この内側両面粘着シールの他方の粘着層を覆っている剥離紙とを有していることを特徴としている。
【００２２】
本発明による貼り付け式フィルタ・セットおよび貼り付け式フィルタは、それらのフィルタ貼り付け用両面粘着シールの剥離紙を剥がして、ガスメータのメータケースにおける通気穴を塞ぐ状態に、その外側あるいは内側、または両側から貼り付け式フィルタを貼り付けるという簡単な作業を行うだけで、通気性、防湿性および虫の侵入を防止可能な通気構造を構成できる。
【発明の効果】
【００２３】
本発明によれば、フィルタ貼り付け用両面粘着シールの粘着剤として適切なものを用いれば、ガスメータのメータケースの材質の如何に拘らず、ワンタッチの操作でフィルタを通気穴に取り付けることができる。したがって、従来に比べて、簡単に取り付けることができ、また、フィルタ取り付け用の固定金具などが不要であるのでコストも低減できる。
【発明を実施するための最良の形態】
【００２４】
以下に、図面を参照して、本発明を適用したガスメータの通気構造の実施の形態を説明する。
【００２５】
（実施の形態１）
図１は、本発明を適用した実施の形態１に係るガスメータの通気構造を模式的に示す断面図である。この図を参照して説明すると、ガスメータ１のメータケース２には通気穴３が形成されている。通気穴３は、例えば、ガスメータ１内に配置されている圧力センサの圧力室４に大気圧を導くためのものである。メータケース２は例えばダイキャスト品からなる。通気穴３を封鎖する状態で、メータケース２にはフィルタ１０が両面粘着シール１６によって貼り付けられている。
【００２６】
フィルタ１０は、大気に晒される通気性および防湿性を備えた外側フィルタ１１と、この外側フィルタ１１の裏面側に配置される通気性および防湿性を備えた内側フィルタ１２と、外側フィルタ１１および内側フィルタ１２の間に配置されている防虫網１３とを備えている。内側フィルタ１２および防虫網１３は相互に貼り合せた状態でメータケース２の内側に配置されており、外側フィルタ１１はメータケース２の外側に配置されている。また、両面粘着シール１６には、フィルタ貼り付け用両面粘着シールとして、防虫網１３をメータケース２の内側表面２ａに貼り付けている内側両面粘着シール１７と、外側フィルタ１１をメータケース２の外側表面２ｂに貼り付けている外側両面粘着シール１８とが備わっている。さらに、両面粘着シール１６には、防虫網貼り付け用両面粘着シール１９が備わっており、当該防虫網貼り付け用両面粘着シール１９によって内側フィルタ１２および防虫網１３を相互に貼り合わせてある。
【００２７】
ここで、通気穴３は円形をしており、フィルタ１０および両面粘着シール１６は当該通気穴３を包含する大きさの矩形形状をしており、両面粘着シール１６には通気穴３に対応する円形開口が形成されている。フィルタ１０の各構成要素は通気性および防湿性を備えたゴアテックスフィルム（商品名）などのフッ素系樹脂フィルムを用いて形成されている。防虫網１３は例えば合成樹脂製のメッシュフィルムであり、例えば３ｍｍ以下のメッシュサイズのものを用いている。また、両面粘着シール１６は、厚さ方向の弾性変形可能な独立発泡材などからなる基材と、この両面に形成した粘着剤の層から形成されている。
【００２８】
図２および図３には、実施の形態１の通気構造に用いる貼り付け式フィルタを示してある。図２（ａ）〜（ｃ）はガスメータ１のメータケース２の内側に貼り付ける貼り付け式内側フィルタ１４を示す背面図、断面図および正面図であり、図３（ａ）〜（ｃ）は外側に貼り付ける貼り付け式外側フィルタ１５を示す正面図、断面図および裏面図である。
【００２９】
図２に示すように、貼り付け式内側フィルタ１４は、通気性および防湿性を備えた内側フィルタ１２と、この内側フィルタ１２に防虫網貼り付け用両面粘着シール１９を介して貼り付けた防虫網１３と、この防虫網１３に一方の粘着層が貼り付けられている内側両面粘着シール１７と、この内側両面粘着シール１７の他方の粘着層を覆っている剥離紙２０とを備えている。図３に示すように、貼り付け式外側フィルタ１５は、通気性および防湿性を備えた外側フィルタ１１と、この外側フィルタ１１に一方の粘着層が貼り付けられている外側両面粘着シール１８と、この外側両面粘着シール１８の他方の粘着面を覆っている剥離紙２１とを備えている。
【００３０】
貼り付け式内側フィルタ１４から剥離紙２０を剥がして、通気穴３の内側からメータケース２の内側表面２ａに貼り付ける。同様に、貼り付け式外側フィルタ１５の剥離紙２１を剥がして、通気穴３の外側からメータケース２の外側表面２ｂに貼り付ける。これにより、ガスメータ１の通気構造が形成される。
【００３１】
（実施の形態２）
図４は本発明を適用した実施の形態２に係るガスメータの通気構造を示す断面図である。実施の形態２のガスメータの通気構造では、防虫網１３をメータケース２の外側に配置した点が実施の形態１と相違している。
【００３２】
すなわち、内側フィルタ１２は、内側両面粘着シール１７を介してメータケース２の内側表面２ａに貼り付けられている。外側フィルタ１１には、防虫網貼り付け用両面粘着シール１９を介して防虫網１３が貼り付けられ、防虫網１３が外側両面粘着シール１８を介してメータケース２の外側表面２ｂに貼り付けられている。
【００３３】
（実施の形態３）
図５は実施の形態３に係るガスメータの通気構造を示す断面図であり、図６はその貼り付け式内側フィルタをしめす裏面図、断面図および正面図である。
【００３４】
実施の形態３の通気構造では、実施の形態１の場合における防虫網貼り付け用両面粘着シール１９を用いる代わりに熱溶着によって防虫網１３と内側フィルタ１２を貼り合わせてある。これ以外の構成は同一であるので、対応する部位には同一の符号を付し、それらの説明は省略する。
【００３５】
この通気構造に用いる貼り付け式外側フィルタは図３に示す貼り付け式外側フィルタ１５と同一である。貼り付け式内側フィルタ１４Ａは図６に示すように、防虫網１３と内側フィルタ１２が熱溶着によって貼り合わされた構成となっている。
【００３６】
（実施の形態４）
図７は実施の形態４に係るガスメータの通気構造を示す断面図であり、図８は当該通気構造に用いる貼り付け式フィルタを示す正面図、断面図および裏面図である。
【００３７】
図７を参照して説明すると、ガスメータ１のメータケース２に形成した通気穴３が通気性および防湿性のフィルタ１０Ａで封鎖されている。フィルタ１０Ａはメータケース２の外側に配置されており、外側両面粘着シール１８によってメータケース２の外側表面２ｂに貼り付けられている。
【００３８】
フィルタ１０Ａは、大気に晒される通気性および防湿性を備えた外側フィルタ１１と、この外側フィルタ１１の裏面側に配置される通気性および防湿性を備えた内側フィルタ１２と、外側フィルタ１１および内側フィルタ１２の間に配置されている防虫網１３とを備えており、これら外側フィルタ１１、防虫網１３および内側フィルタ１２は相互に貼り合せた状態でメータケース２の外側表面２ｂに対して、外側両面粘着シール１８によって貼り付けられている。外側フィルタ１１と防虫網１３は熱溶着により貼り合わされており、防虫網１３と内側フィルタ１２も同様に熱溶着により貼り合わされている。
【００３９】
図８に示すように、この通気構造に用いる貼り付け式フィルタ１５Ａは、内側フィルタ１２に貼り付けた外側両面粘着シール１８が剥離紙２１によって覆われている。剥離紙２１を剥がして、当該貼り付け式フィルタ１５Ａをメータケース２の外側表面２ｂに貼り付けることにより、通気構造を形成できる。
【００４０】
（実施の形態５）
図９は実施の形態５に係るガスメータの通気構造を示す断面図である。この通気構造では、メータケース２の内側にフィルタ１０Ｂが貼り付けられている。すなわち、フィルタ１０Ｂは、内側フィルタ１２と、この表面に熱溶着によって貼り合せた防虫網１３と、この表面に熱溶着によって貼り合せた外側フィルタ１１と、この表面に貼り付けた内側両面粘着シール１７から構成されている。
【００４１】
（実施の形態６）
ここで、実施の形態４、５においては、熱溶着によって外側フィルタ、防虫網および内側フィルタを貼り合わせている。この代わりに、２枚の防虫網貼り付け用両面粘着シールを用いて、これらを貼り合わせて一体化してもよい。図１０には、この構成の貼り付け式フィルタ１０Ｃを示してある。フィルタ１０Ｃは、外側フィルタ１１と内側フィルタ１２の間に防虫網１３が配置され、これらの間が防虫網貼り付け用両面粘着シール１９Ａ、１９Ｂによって相互に貼り付けられている。また、外側フィルタ１１（あるいは内側フィルタ１２）の表面に内側両面粘着シール１７（あるいは外側両面粘着シール１８）が貼り付けられており、フィルタ１０Ｃをメータケース２の内側表面２ａ（あるいは外側表面２ｂ）に貼り付け可能となっている。
【図面の簡単な説明】
【００４２】
【図１】本発明の実施の形態１に係るガスメータの通気構造を示す断面図である。
【図２】図１の通気構造に用いる貼り付け式内側フィルタを示す裏面図、断面図および正面図である。
【図３】図１の通気構造に用いる貼り付け式外側フィルタを示す正面図、断面図および裏面図である。
【図４】本発明の実施の形態２に係るガスメータの通気構造を示す断面図である。
【図５】本発明の実施の形態３に係るガスメータの通気構造を示す断面図である。
【図６】図５の通気構造に用いる貼り付け式内側フィルタを示す裏面図、断面図および正面図である。
【図７】本発明の実施の形態４に係るガスメータの通気構造を示す断面図である。
【図８】図７の通気構造に用いる貼り付け式フィルタを示す正面図、断面図および裏面図である。
【図９】本発明の実施の形態５に係るガスメータの通気構造を示す断面図である。
【図１０】本発明の実施の形態６に係る貼り付け式フィルタを示す正面図、断面図および裏面図である。
【符号の説明】
【００４３】
１    ガスメータ
２    メータケース
２ａ  内側表面
２ｂ  外側表面
３    通気穴
４    圧力室
１０  フィルタ
１１  外側フィルタ
１２  内側フィルタ
１３  防虫網
１４、１４Ａ  貼り付け式内側フィルタ
１５  貼り付け式外側フィルタ
１５Ａ  貼り付け式フィルタ
１６  両面粘着シール
１７  内側両面粘着シール
１８  外側両面粘着シール
１９、１９Ａ、１９Ｂ  防虫網貼り付け用両面粘着シール
２０、２１  剥離紙
【図１】
0005054501.tif 000002
【図２】
0005054501.tif 000003
【図３】
0005054501.tif 000004
【図４】
0005054501.tif 000005
【図５】
0005054501.tif 000006
【図６】
0005054501.tif 000007
【図７】
0005054501.tif 000008
【図８】
0005054501.tif 000009
【図９】
0005054501.tif 000010
【図１０】
0005054501.tif 000011